(57)【特許請求の範囲】
【請求項１】
撥水性不織シート（１）の中央部において、該撥水性不織シート（１）の一方の面に該撥水性不織シート（１）よりも面積が小さい液体吸収性シート（２）が密着された積層体の中心部に少なくとも１つ以上の開窓部を設けた使い捨て外科手術用覆布であって、該開窓部の方向に口を開けて設けられたポケット（３）が、液体吸収性シート（２）上に少なくとも１つ以上配置され、かつ該ポケット（３）内側の少なくとも一部分に容易に繰り返し接着可能な間仕切りを設けたことを特徴とする使い捨て外科手術用覆布。
【請求項２】
上記撥水性不織シート（１）において、上記液体吸収性シート（２）が積層された面とは反対側に開窓部の少なくとも一部分の縁に沿って薄い粘着層を設け、該粘着層を覆う剥離シートを前記粘着層に貼着したことを特徴とする請求項１記載の使い捨て外科手術用覆布。
【請求項３】
上記ポケット（３）内側面の少なくとも一部分に設けた容易に繰り返し接着可能な間仕切りが無加熱圧着テープであることを特徴とする請求項１または２に記載の使い捨て外科手術用覆布。
【請求項４】
撥水性不織シート（１）と液体吸収性シート（２）とを液体不透過性で熱可塑性の高分子樹脂フィルムを介して積層密着したことを特徴とする請求項１〜３のいずれか１項に記載の使い捨て外科手術用覆布。
【発明の詳細な説明】
【０００１】
【発明の属する技術分野】
本発明は、医療現場等で行われる手術処置に関連して使用される手術用の覆布（ドレープ）に関し、詳細には使い捨ての外科手術用覆布（ドレープ）に関するものである。
【０００２】
【従来の技術】
近年、各医療機関においては院内感染の防止や業務の合理化等を目的として、１回使用しただけで廃棄処分する使い捨ての手術衣、覆布、マスク、キャップ等が広く使用されている。使い捨てのこれら製品には、生地コストが安価な不織布が一般に用いられている。外科手術用の覆布とは、清潔領域を形成するために患者と手術台を覆うシートで、手術野を無菌状態に保つため一般に滅菌処理したものが用いられる。
【０００３】
一般的な外科手術用覆布の構造は、液体バリアー性を有した基本シートのほぼ中央部に手術野を露出するための開窓部が設けられ、該開窓部の周辺領域が液体吸収特性を有しているというものである。基本シートの主たる要求特性として、丸みを帯びた患者の輪郭にフィットし易くするために柔軟でしなやかであること、血液や体液、洗浄液などに対する液体バリアー性があることなどが挙げられる。該基本シートに液体バリアー性を付与するためには撥水加工や防水加工を施すのが一般的である。
【０００４】
前記開窓部周辺領域の特性としては、血液や体液、洗浄液などの各種液体の飛散、流出を防ぐために液体吸収性があることがしばしば望まれている。外科手術用覆布に液体吸収性を付与するために、上記基本シートの開窓部周辺には液体吸収性材料が積層されていることが多い。
【０００５】
外科手術用覆布の開窓部周辺には、開窓部方向に口を開けてポケット（以下、サイドポケットと略称する）を配置されることが知られている（実開昭６０−１７７８１６）。サイドポケットは、切開部から多量に流出する血液や体液、また切開部に注ぎかけられる洗浄液などが、開窓部周辺へ汚染することを防ぐ役割の他に、手術において使用される各種器具類を受容する袋としての役割も合わせ持つものである。細長いサイドポケットの場合は内部に間仕切りを設け小容量化せしめられるが、該間仕切りは固定化されたものであり、医療技術が高度化、複雑化してきている今日においては、術者の多様な手術様式に柔軟に対応できないという問題があった。
【０００６】
【発明が解決しようとする課題】
本発明は、サイドポケットの間仕切り部が容易に繰り返し接着可能で、ポケットの容量を自在に変えることができるサイドポケットを備えた使い捨て外科手術用覆布を提供することを課題としている。
【０００７】
【課題を解決するための手段】
本発明者等は上記課題を解決すべく鋭意検討の結果、本発明に到達した。すなわち本発明は、撥水性不織シート（１）の中央部において、該撥水性不織シート（１）の一方の面に該撥水性不織シート（１）よりも面積が小さい液体吸収性シート（２）が密着された積層体の中心部に少なくとも１つ以上の開窓部を設けた使い捨て外科手術用覆布であって、該開窓部の方向に口を開けて設けられたポケット（３）が、液体吸収性シート（２）上に少なくとも１つ以上配置され、かつ該ポケット（３）内側の少なくとも一部分に容易に繰り返し接着可能な間仕切りを設けたものであって、この構成により術者の多様な手術様式に柔軟に対応できうるサイドポケットを備えた使い捨て外科手術用覆布が提供されたものである。
【０００８】
以下に本発明について詳細に説明する。
本発明における撥水性不織シート（１）は、従来公知の不織布に撥水加工を施してあるものであれば任意に使用することがでる。不織布として、例えばスパンボンド不織布、スパンレース不織布、ケミカルボンド不織布、ニードルパンチ不織布や湿式不織布等を用いることができる。さらに、複数の不織布形態を複合せしめた構造体、例えば長繊維不織布に、短繊維からなる不織布ウェブをニードルパンチやケミカルボンド、高圧水流柱による繊維の交絡等によって積層一体化せしめた構造体であってもかまわない。
【０００９】
素材には限定はなく、例えばポリエチレンテレフタレート等のポリエステル系、ポリプロピレンやポリエチレン等のポリオレフィン系、ポリアミド系、アクリル系、ポリウレタン系などの合成繊維、木綿、羊毛等の天然繊維、レーヨン、ポリノジック、キュプラ等の再生繊維、アセテート等の半合成繊維を用いることができ、単一種の繊維からなるものであることを要しない。また、必要に応じ、あらかじめ原液着色したもの、染色等によって着色されたものであってもよい。
【００１０】
上記不織布構造体の目付は、３０〜１００ｇ／ｍ2 であることが好ましい。目付が１００ｇ／ｍ2 以上であると風合いが硬くなるので好ましくなく、３０ｇ／ｍ2 未満だと通気度が過剰になり、液体バリアー性を低下させる要因となり好ましくない。
【００１１】
本発明における撥水性不織シート（１）は、上記不織布に撥水撥油剤を付与してなるものである。これは、医療現場で取り扱われる生理食塩水や血液、体液、水、消毒用アルコール等の液体が、該不織シートを濡らし、浸透することを防ぐために施されるものである。
【００１２】
本発明で使用される撥水撥油剤自体は公知であり、例えばパーフルオロアルキル基を含有するアクリレート化合物で、アサヒガードＡＧ−７１０、アサヒガードＬＳ−３１７（登録商標、旭硝子株式会社）、ライトガードＦＲ−５２０（登録商標、共栄社化学株式会社）等が挙げられる。フッ素系撥水剤は固形分として、繊維重量に対し０．０２〜２．０重量％、好ましくは０．５〜１．５重量％用いる。上記加工液を不織布構造体に付与した後、通常、乾燥、更に熱処理を実施することによって提供されるものである。
【００１３】
本発明における液体吸収性シート（２）は、医療現場で取り扱われる生理食塩水や血液、体液、水などの液体を吸収せしめる性能を有するものである。外科手術において切開等の医療行為を実施する手術野周辺領域は、上記液体が多量に流出した場合速やかに吸収し、その周囲への汚染の拡大を最小限に防ぐことが要求される。
【００１４】
液体吸収性シート（２）は吸水性能を備えているシートであれば任意に使用することができる。使用される繊維は、例えば、木綿、羊毛等の天然繊維、レーヨン、ポリノジック、キュプラ等の再生繊維、アセテート等の半合成繊維、ポリエステル、ナイロン、アクリル、ポリエチレン、ポリプロピレン等の合成繊維を挙げることができ、１種類に限定するものではない。繊維自体が吸水性を備えているもの、例えばセルロース系繊維であれば吸水性能を付与する特別な後加工を行う必要はないが、非吸水性の素材、例えばポリエステル系繊維から構成されるシートであれば、公知の吸水剤、親水剤、浸透剤等を用いて親水性を付与する後加工を施すことが好ましい。また、シートの形態は、織物、編物、不織布などいかなる形態であっても構わないがコストが安価であるという点で不織布が好ましく用いられる。
【００１５】
撥水性不織シート（１）に液体吸収性シート（２）を密着積層する方法としては、従来公知の接着剤、両面粘着テープなどを任意に使用することができる。液体吸収性シート（２）の下層に置かれた撥水性不織シート（１）が、液体の浸透を抑える働きをするが、さらに液体の浸透を防ぐ構造にするために、液体不透過性で熱可塑性の高分子樹脂フィルムを介して液体吸収性シート（２）と撥水性不織シート（１）とを積層し、加圧熱接着することが好ましい。この構造は、予め液体吸収性シート（２）の一方の面に液体不透過性で熱可塑性の高分子樹脂フィルムをラミネートしておくことによって容易に製造することができる。熱可塑性の高分子樹脂フィルムは適合する高分子であれば任意に使用することができ１種類に限定するものではない。これらの高分子樹脂として例えば、ポリエチレン、ポリプロピレンなどのポリオレフィン系、ポリスチレン系、ポリアミド系、ポリエステル系、ポリウレタン系などの単体、エチレン−酢酸ビニル共重合体などの共重合物等が挙げられる。さらにこれらの樹脂に、可塑剤、安定剤、顔料、添加物などが含まれていても構わない。上記液体吸収性シート（２）と該熱可塑性の高分子樹脂フィルムとをラミネートする方法として、押し出しラミネート法、熱接着や接着剤による貼り合わせ等が挙げられる。
【００１６】
本発明におけるサイドポケットの内側面の少なくとも一部分に設けられた、容易に繰り返し接着可能な間仕切りとは、剥がしやすい適度な接着力で接合ができ、また数回の繰り返しの接着によって接着強力が低下しない接着層であれば特に限定するものではないが、加熱しなくても加圧すれば接着できる圧着テープが好ましく用いられる。例えば、ベサールテープ（登録商標、日本光ファイバ株式会社製）などが挙げられる。容易に繰り返し接着可能な間仕切りをサイドポケットの両内側へ固定化する方法は、例えば両面粘着テープを用いることが挙げられる。
【００１７】
上記撥水性不織シート（１）において、上記液体吸収性シート（２）が積層された面とは反対側、すなわち患者と接触する面に、開窓部の少なくとも一部分の縁に沿って設けられた薄い粘着層は、覆布の開窓部を患者の手術野予定部位に正確に配置させた後、該粘着層を覆う剥離シートを引き剥がし、粘着層を患者の体に密着、固定化するために設けられるものである。上記粘着層は例えば公知の細長い両面粘着テープを貼着することで形成できる。
【００１８】
液体吸収性シート（２）上に少なくとも１つ以上配置されたサイドポケットは、該液体吸収性シート（２）とは全く独立した不織シートから構成されても良いが、組立加工工程の効率化のために該液体吸収性シート（２）と同一のシートから構成されたものであってもかまわない。この場合、液体吸収性シート（２）の少なくとも一辺を一回以上折り返し、両端辺部分を接着することによって袋状の形態、すなわちポケットを作ることができる。液体吸収性シート（２）に防水性能を持たせる為に、該液体吸収性シート（２）の一方の面に液体不透過性で熱可塑性の高分子樹脂フィルムをラミネートした場合でも全く同様である。サイドポケットの大きさは、液体吸収性シート（２）上に配置される範囲のものであればいかなる大きさでも構わない。
【００１９】
本発明品である使い捨て外科手術用覆布の一部分にマチあるいはギャザーが設けられていても構わない。これは外科手術用覆布の一部を手術台に対してほぼ垂直に折り曲げ遮蔽壁を形成させる場合、この折り曲げられる部分の両端部に立体的フィット性を付与するために設けられるものである。
【００２０】
また前記液体吸収性不織シート（２）のほぼ中心部に少なくとも１つ以上設けた開窓部は、正方形、長方形、台形、楕円等、特定の形状に限定することはなく、その大きさも液体吸収性不織シート（２）よりも小さい面積範囲であれば特に限定するものではない。さらに、液体吸収性シート（２）の端部に少なくとも１つ以上のコードホルダーを設けても一向に差し支えない。
【００２１】
上記のごとく、外科手術用覆布に備えたサイドポケットに、容易に繰り返し接着可能な間仕切りを設けたことによって、サイドポケットの容量を自在に変更でき、術者の多様な手術様式に柔軟に対応することができる。
【００２２】
【実施例】
図１〜図６は本発明に係る使い捨て外科手術用覆布の構成を示した説明図である。
【００２３】
図１は、本発明品の基本的な構成を示した平面図である。撥水性不織シート（１）のほぼ中央部付近において、該不織シート（１）の一方の面に、該不織シート（１）よりも面積が小さい液体吸収性シート（２）を積層密着し、さらにそのほぼ中心部に１つの開窓部を設けた手術用覆布であって、開窓部の方向に口を開けて設けられたポケット（３）が液体吸収性シート（２）上に２つ配置され、かつ該サイドポケット（３）内側面の少なくとも一部分に、容易に繰り返し接着可能な間仕切りを設けた使い捨て外科手術用覆布である。撥水性不織シート（１）は、ポリエステル系のスパンボンド不織布（目付１５ｇ／ｍ2 ）にレーヨン短繊維とポリエステル短繊維を混合したウェブ（目付５５ｇ／ｍ2 ）を載せ高圧水柱流処理した後、撥水加工することによって得た。一方、液体吸収性シート（２）は、ポリエステル系のスパンボンド不織布（目付１５ｇ／ｍ2 ）にレーヨン短繊維とポリエステル短繊維を混合したウェブ（目付４５ｇ／ｍ2 ）を載せ高圧水柱流処理した後、吸水加工することによって得た。この液体吸収性シート（２）の一方の面にポリエチレンフィルムをラミネートした後、該シートを上記撥水性不織シート（１）に積層、加圧熱接着し、開窓部分を切り抜いた。サイドポケットは、ポリエチレンフィルムをラミネートして得た上記液体吸収性シート（２）の一辺をＳ字状に折り返し、両端辺部分を接着することによって形成した。また、該サイドポケットの間仕切り部に感圧テープを用いることによって繰り返し接着が可能な構造にせしめた。
【００２４】
図２は、図１の (b)−(b) 線に沿って矢印方向に見た断面図を示したものである。
【００２５】
図３は、図１の (b)−(b) 線に沿って矢印方向に見た断面図であるが、図２の構成とは異なる例を示した断面図である。すなわちサイドポケット（３）を構成する不織シートが液体吸収性シート（２）とは独立している場合の例を示している。
【００２６】
図４および図５は、図１のサイドポケット部分を拡大した傾視図を示したものである。図６で示すように、容易に繰り返し接着可能な間仕切りとしてベサールテープ（日本光ファイバ株式会社製）を両面粘着テープを介してサイドポケットの両内側に固定した。この時、該粘着テープの粘着強度はベサールテープ同士の接着強度よりも強固なものとした。これにより、サイドポケットの間仕切り部分が接合した状態（図４）と、サイドポケットの間仕切り部を引き剥がした状態（図５）とで示されるように、容易にかつ自在にポケット容量を変更することが可能となったものである。
【００２７】
【発明の効果】
使い捨ての外科手術用覆布において、該覆布の開窓部方向に口を開けて設けたサイドポケットの内側面の少なくとも一部分に、容易に繰り返し接着可能な間仕切りを設けたことによって、医療用機器類の受容袋としてのサイドポケットの容量が自在に変更でき、術者の多様な手術様式に柔軟に対応できるものである。
【図面の簡単な説明】
【図１】本発明品に係る使い捨て外科手術用覆布を示す平面図である。
【図２】図１の (b)−(b) 線に沿って矢印の方向に見た断面図である。
【図３】図１の (b)−(b) 線に沿って矢印方向に見た断面図であるが、図２の構成とは異なる例を示した断面図である。
【図４】本発明品に係る使い捨て外科手術用覆布において、サイドポケットの間仕切り部が閉じている状態を示した傾視図。
【図５】本発明品に係る使い捨て外科手術用覆布において、サイドポケットの間仕切り部が開いている状態を示した傾視図。
【図６】本発明品のサイドポケット内部において、繰り返し接着可能な間仕切り部を不織シートに固定した状態を示した拡大図。
【図７】公知の手術用覆布の一例を示し、手術台上の患者に覆いかけられた状態を示した斜視図。
【図８】公知のサイドポケットで、間仕切り部が半永久的に接着した状態を示した斜視図。
【符号の説明】
１…撥水性不織シート、２…液体吸収性シート、３…サイドポケット、４…開窓部、５…熱可塑性の高分子樹脂フィルム、６…接着剤、７…薄い粘着層、８…粘着層を覆う剥離シート、９…マチ、１０…繰り返し接着可能な間仕切り、１１…両面粘着テープ、２０…患者、２１…手術台、２２…基本シート、２３…補強部（吸水性シート）、２４…遮蔽壁、２５…開窓部、２６…サイドポケット、２７…繰り返し接着ができない間仕切り部（両面粘着テープ）、２８…マチ
【図１】
0003685284.tif 000002
【図２】
0003685284.tif 000003
【図３】
0003685284.tif 000004
【図４】
0003685284.tif 000005
【図５】
0003685284.tif 000006
【図６】
0003685284.tif 000007
【図７】
0003685284.tif 000008
【図８】
0003685284.tif 000009